(57)【要約】【課題】所望のライフスタイルに応じたインテリア製品を効率的に選定し得るインテリアコーディネート用ツールを提供する。【解決手段】複数のライフスタイル毎に生地情報を含む施工例サンプル画像を掲載したコーディネートブック１２と、ライフスタイル毎に分類された生地サンプル中から生地情報に基づいて当該ライフスタイルに対応する生地を選定可能とした生地サンプルブック１３ａ〜１３ｄ，１４と、生地サンプルブック及びコーディネートブックの少なくともいずれかで選定された生地に基づいて製品の仕様の選定と価格の確認を行う製品ガイド・プライスブック１５と、コーディネートブックと、生地サンプルブックと、製品ガイド・プライスブックとを収容する収容体１１とを備えた。【選択図】図２
0003175464.tif 000002
【実用新案登録請求の範囲】
【請求項１】
複数のライフスタイル毎に生地情報を含む施工例サンプル画像を掲載したコーディネートブックと、
前記生地情報に基づいて、前記ライフスタイル毎に分類された生地サンプル中から当該ライフスタイルに対応する生地を選定可能とした生地サンプルブックと、
前記生地サンプルブック及び前記コーディネートブックの少なくともいずれかで選定された生地に基づいて製品の仕様の選定と価格の確認を行う製品ガイド・プライスブックと、
前記コーディネートブックと、生地サンプルブックと、製品ガイド・プライスブックを収容する収容体と
を備えたことを特徴とするインテリアコーディネート用ツール。
【請求項２】
前記コーディネートブックと、前記生地サンプルブックと、前記製品ガイド・プライスブックには、相互にリンクする共通のカテゴリー名を掲載したことを特徴とする請求項１記載のインテリアコーディネート用ツール。
【請求項３】
前記コーディネートブックと、前記生地サンプルブックと、前記製品ガイド・プライスブックには、相互にリンクする共通の製品名及び生地情報を掲載したことを特徴とする請求項１又は２記載のインテリアコーディネート用ツール。
【請求項４】
前記収容体に、発注のためのオーダーシート及びチェックリストを収容したことを特徴とする請求項１乃至３のいずれか１項に記載のインテリアコーディネート用ツール。
【請求項５】
前記コーディネートブックには、前記ライフスタイル毎に前記施工例サンプル画像を掲載したライフスタイル別掲載ページを備え、前記ライフスタイル別掲載ページには施工例サンプル画像に掲載された製品の生地情報を含む基本情報を掲載したことを特徴とする請求項１乃至４のいずれか１項に記載のインテリアコーディネート用ツール。
【請求項６】
前記施工例サンプル画像には、対象生地と他の生地とのダブル仕様の製品画像と、同一窓での対応製品と他の生地による他の製品との併用画像と、対象生地の窓と同一建物内に形成された他の窓に他の生地製品が併用された画像との少なくともいずれかが表示されることを特徴とする請求項５記載のインテリアコーディネート用ツール。
【請求項７】
前記コーディネートブックには、施工例サンプル画像に掲載された製品の注文情報を掲載したことを特徴とする請求項１乃至６のいずれか１項に記載のインテリアコーディネート用ツール。
【請求項８】
前記生地サンプルブックは、
多数の生地サンプルを前記ライフスタイル毎に分類するとともに、各ライフスタイル毎に別冊としたライフスタイル別生地サンプルブックと、
無地の生地サンプルを分類して別冊とした無地生地サンプルブックと
を備えたことを特徴とする請求項１乃至６のいずれか１項に記載のインテリアコーディネート用ツール。
【請求項９】
前記無地生地サンプルブックは、前記生地サンプルの種別と、前記生地サンプルの色相及び明度の少なくともいずれかの分類順で配列したことを特徴とする請求項８記載のインテリアコーディネート用ツール。
【請求項１０】
前記コーディネートブックと前記製品ガイド・プライスブックには、前記施工例サンプル画像が掲載されたページと、該施工例サンプル画像に掲載された複数の製品の価格が掲載されたページとをリンクさせるリンク情報を掲載したことを特徴とする請求項１乃至６のいずれか１項に記載のインテリアコーディネート用ツール。
【請求項１１】
前記コーディネートブックと、製品ガイド・プライスブックとを一冊の冊子としたことを特徴とする請求項１乃至１０のいずれか１項に記載のインテリアコーディネート用ツール。
【請求項１２】
複数の生地又は複数の製品が一括して表示される施工例サンプル画像と、
前記複数の生地の番号又は前記複数の製品の番号を表示する第一の表示部と、
前記複数の生地又は前記複数の製品の生地サンプル又は生地サンプル画像を示す第二の表示部と、
製品価格ページにリンクするリンク情報を表示する第三の表示部と、
を同一ページ又は見開きページに表示し、
前記リンク情報でリンクする製品価格ページに前記施工例サンプル画像の縮小画像を表示し、前記縮小画像内に前記複数の生地又は前記複数の製品を特定する記号を付し、前記記号で特定された前記複数の生地又は前記複数の製品のサイズ別価格表を表示したことを特徴とするインテリアコーディネート用ツール。
【考案の詳細な説明】
【技術分野】
【０００１】
この考案は、インテリア商品の見本帳等のコーディネートツールに関するものである。
【背景技術】
【０００２】
従来、横型ブラインド、ロールスクリーン、縦型ブラインド、プリーツスクリーン、たくし上げカーテン、カーテン等のインテリア商品の選定を行うために、見本帳が使用される。
【０００３】
図１６に示す見本帳は、製品の色を第一の選択枝として、例えば横型ブラインドの各色の製品サンプル画像１ａ〜１ｊが掲載されている。そして、各サンプル画像１ａ〜１ｊに隣接して、各サンプル画像１ａ〜１ｊに対応するスラットサンプルＳａ〜Ｓｊと横型ブラインドの型番と、そのスラット色と同色の生地サンプル画像２ａ〜２ｊと、当該生地を使用して製造されている他の製品の型番３ａ〜３ｊが掲載されている。
【０００４】
この見本帳では、まず共通の色を選択し、その色に対応した複数種類の製品（例えば横型ブラインド、ロールスクリーン、縦型ブラインド、プリーツスクリーンたくし上げカーテン、カーテン）の製品名、略号、色番号を参照して、同一の見本帳の仕様や価格が掲載されている別のページで所望の製品の仕様や価格等を閲覧可能となっている。
【０００５】
図１７に示すロールスクリーンの見本帳では、生地の紹介ページに生地サンプル画像４ａ−１，４ｂ−１と、対象生地と二重使いする場合にコーディネートに最適なお勧め生地４ａ−２，４ｂ−２が掲載されている。そして、生地４ｂ−１のシングル仕様で施工した施工例サンプル画像５とサイズ毎の価格表６−１，６−２とが掲載され、価格表６−１はシングル仕様の製品価格を示し、価格表６−２は生地サンプル画像４ａ−１又は生地サンプル画像４ｂ−１とお勧め生地４ａ−２，４ｂ−２とを組み合わせてダブル仕様とした場合の価格を示している。従って、対象生地とコーディネートにお勧めの生地とのダブル仕様価格を容易に確認可能となっている。
【０００６】
図１８及び図１９に示すライフスタイル見本帳では、図１８に示すような複数の質問ページ７で複数のライフスタイルの中から１つのライフスタイルを選択し、図１９に示す確認ページ８で、選択したライフスタイルイメージに応じた生地サンプル画像９及び施工例サンプル画像１０で確認可能である。
【０００７】
施工例には、製品名を示す製品番号と色番号が表示され、それを手がかりに別の個別製品（例えば横型ブラインド、ロールスクリーン、縦型ブラインド、プリーツスクリーン、たくし上げカーテン、カーテン等）の見本帳により仕様や価格を参照することができる。
【考案の概要】
【考案が解決しようとする課題】
【０００８】
図１６に示す見本帳では、色選定後に製品名又は製品略号を手がかりに複数の製品の仕様や価格を同一見本帳内で参照することができるものの、無地の単一柄の生地と塗装色に限定されており、無地と柄物とをコーディネートする場合にはこの見本帳単独ではできない。
【０００９】
また、各製品仕様のページにおいて掲載される施工例写真は、単一製品が施工されている写真のみであり、２種類の生地で二重使いをした製品、同一窓で二重吊りをした場合、同一建物内の複数の窓に対し複数の生地を吊る場合等のインテリアイメージを提示することも、この見本帳単独ではできない。
【００１０】
図１７に示す見本帳では、単一製品で二重使い可能な製品で対象生地とお勧め生地との組み合わせをその組み合わせ価格と生地サンプル対としては把握できるものの施工例写真はシングル仕様であって、二重使いした場合をイメージし難い。
【００１１】
図１８及び図１９に示すようなライフスタイル見本帳で顧客の所望するライフスタイルを確認した後、顧客に対し実際の施工案を提案するためには、製品仕様や価格表は各製品毎の見本帳とは別体のため、図１７に示すような見本帳を各製品毎に揃えた上で、製品の色、仕様、価格等を製品番号（製品名）と色番号を手がかりとして製品毎の見本帳の各項目に該当ページを探し出して提示を行う必要がある。
【００１２】
従って、顧客の要望に沿った提案を行うために多数の見本帳を必要とし、製品番号・色番号から該当ページを探し出す必要があるため、その作業が煩雑で時間がかかり、顧客のコーディネートに対するこだわりをさらに引き出すようなツールにはなっていなかった。
【００１３】
この考案の目的は、所望のライフスタイルに応じたインテリア製品を効率的に選定し得るインテリアコーディネート用ツールを提供することにある。
【課題を解決するための手段】
【００１４】
請求項１では、複数のライフスタイル毎に生地情報を含む施工例サンプル画像を掲載したコーディネートブックと、前記生地情報に基づいて、前記ライフスタイル毎に分類された生地サンプル中から当該ライフスタイルに対応する生地を選定可能とした生地サンプルブックと、前記生地サンプルブック及び前記コーディネートブックの少なくともいずれかで選定された生地に基づいて製品の仕様の選定と価格の確認を行う製品ガイド・プライスブックと、前記コーディネートブックと、生地サンプルブックと、製品ガイド・プライスブックの少なくともいずれかを収容する収容体とを備えた。
【００１５】
請求項２では、前記コーディネートブックと、前記生地サンプルブックと、前記製品ガイド・プライスブックには、相互にリンクする共通のカテゴリー名を掲載した。
請求項３では、前記コーディネートブックと、前記生地サンプルブックと、前記製品ガイド・プライスブックには、相互にリンクする共通の製品名及び生地情報を掲載した。
【００１６】
請求項４では、前記収容体に、発注のためのオーダーシート及びチェックリストを収容した。
請求項５では、前記コーディネートブックには、前記ライフスタイル毎に前記施工例サンプル画像を掲載したライフスタイル別掲載ページを備え、前記ライフスタイル別掲載ページには施工例サンプル画像に掲載された製品の生地情報を含む基本情報を掲載した。
【００１７】
請求項６では、前記施工例サンプル画像には、対象生地と他の生地とのダブル仕様の製品画像と、同一窓での対応製品と他の生地による他の製品との併用画像と、対象生地の窓と同一建物内に形成された他の窓に他の生地製品が併用された画像との少なくともいずれかが表示される。
【００１８】
請求項６では、前記コーディネートブックには、施工例サンプル画像に掲載された製品の参考価格を表示する参考価格表示部を備えた。
請求項７では、前記コーディネートブックには、施工例サンプル画像に掲載された製品の注文情報を掲載した。
【００１９】
請求項８では、前記生地サンプルブックは、多数の生地サンプルを前記ライフスタイル毎に分類するとともに、各ライフスタイル毎に別冊としたライフスタイル別生地サンプルブックと、無地の生地サンプルを分類して別冊とした無地生地サンプルブックと
を備えた。
【００２０】
請求項９では、前記無地生地サンプルブックは、前記生地サンプルの種別と、前記生地サンプルの色相及び明度の少なくともいずれかの分類順で配列した。
請求項１０では、前記コーディネートブックと前記製品ガイド・プライスブックには、前記施工例サンプル画像が掲載されたページと、該施工例サンプル画像に掲載された複数の製品の価格が掲載されたページとをリンクさせるリンク情報を掲載した。
【００２１】
請求項１１では、前記コーディネートブックと、製品ガイド・プライスブックとを一冊の冊子とした。
請求項１２では、複数の生地又は複数の製品が一括して表示される施工例サンプル画像と、前記複数の生地の番号又は前記複数の製品の番号を表示する第一の表示部と、前記複数の生地又は前記複数の製品の生地サンプル又は生地サンプル画像を示す第二の表示部と、製品価格ページにリンクするリンク情報を表示する第三の表示部とを同一ページ又は見開きページに表示し、前記リンク情報でリンクする製品価格ページに前記施工例サンプル画像の縮小画像を表示し、前記縮小画像内に前記複数の生地又は前記複数の製品を特定する記号を付し、前記記号で特定された前記複数の生地又は前記複数の製品のサイズ別価格表を表示した。
【考案の効果】
【００２２】
本考案によれば、所望のライフスタイルに応じたインテリア製品を効率的に選定し得るインテリアコーディネート用ツールを提供することができる。
【図面の簡単な説明】
【００２３】
【図１】インテリアコーディネート用ツールを示す斜視図である。
【図２】インテリアコーディネート用ツールの収容物を示す斜視図である。
【図３】コーディネートブックを示す正面図である。
【図４】ライフスタイル別掲載ページを示す正面図である。
【図５】ライフスタイル別掲載ページを示す正面図である。
【図６】オプションページを示す正面図である。
【図７】オプションページを示す正面図である。
【図８】ライフスタイル別生地サンプルブックを示す正面図である。
【図９】無地生地サンプルブックを示す正面図である。
【図１０】製品ガイド・プライスブックを示す正面図である。
【図１１】製品仕様ページを示す正面図である。
【図１２】製品価格ページを示す正面図である。
【図１３】製品価格ページの縮小画像を示す正面図である。
【図１４】オーダーシートを示す正面図である。
【図１５】チェックリストを示す正面図である。
【図１６】従来例を示す正面図である。
【図１７】従来例を示す正面図である。
【図１８】従来例を示す正面図である。
【図１９】従来例を示す正面図である。
【考案を実施するための形態】
【００２４】
以下、この考案を具体化した第一の実施形態を図面に従って説明する。図１及び図２に示す見本帳は、ロールスクリーン、たくし上げカーテン、プリーツスクリーン、縦型ブラインド、カーテン、横型ブラインド等のインテリア製品をコーディネートして施工するための施工案を選定するツールとして使用されるものである。
【００２５】
その見本帳は、二つ折り可能とした収容体１１に、コーディネートブック１２と４冊のライフスタイル別生地サンプルブック１３ａ〜１３ｄと、蛇腹状に折り畳み可能とした無地生地サンプルブック１４と、製品ガイド・プライスブック１５と、複数の製品に対応する１冊のオーダーシート１６とが収容物として収容される。なお、オーダーシート１６は製品毎に複数冊としてもよい。ライフスタイル別生地サンプルブック１３ａ〜１３ｄは、見開き二つ折り、あるいは三つ折程度で構成される。ライフスタイル数は、顧客ターゲットやイメージ区分に応じて任意に設定可能である。
【００２６】
前記収容体１１は、内面両側にポケット１７が設けられ、そのポケット１７に前記各収容物を収容した状態で折り畳み可能となっている。
前記コーディネートブック１２は、図３に示すように、ライフスタイル別掲載ページ１８と、オプションページ１９とを備えている。また、必要に応じて巻末に生地仕様ページを掲載することもできる。
【００２７】
ライフスタイル別掲載ページ１８の各ページには、図４及び図５に示すように、ライフスタイル毎の施工例サンプル画像２０に隣接して、基本情報表示部２１が設けられている。
【００２８】
前記基本情報表示部２１には、当該ライフスタイルのカテゴリー名７１、施工例サンプル画像２０で使用されている生地の生地名、当該ライフスタイルに分類された対象生地名７２（これは施工例サンプル画像２０で大きく使用されている生地の生地名でもある）、対象生地番号、当該生地を使用して製造可能な複数の製品情報が掲載される。なお、対象生地が１製品のみの対応の場合には、該当する製品のみ記載すればよい。
【００２９】
さらに、対象生地が洗濯可能か否かを示すウォッシャブル対応情報（これに限らず他の生地機能を表示してもよい）、当該生地の光透過性情報、施工例サンプル画像２０内に掲載される製品の価格を掲載した製品ガイド・プライスブック１５のページ情報７３等がリンク情報として掲載される。
【００３０】
カテゴリー名、対象生地名、プライスページ表示、対応製品名は全てリンク表示である。カテゴリー名や生地名をキーに後述する生地サンプルブックを参照したり、プライスページや対応製品名をキーに後述するように製品ガイド・プライスブック１５を参照することができる。
【００３１】
また、基本情報表示部２１には、施工例サンプル画像２０で使用されている各生地のテクスチャーや柄等を表示する生地画像２２と、施工例サンプル画像２０で表示されている製品の価格を表示する参考価格表示部２３が設けられている。ここでは、紙面の関係上代表的な製品サイズとして１．８ｍ×１．８ｍのサイズでの価格を表示している。
【００３２】
ライフスタイル別掲載ページ１８には、施工例サンプル画像２０に隣接して、部品コーディネート例画像２４が掲載され、対象生地で製作した製品と、カーテンやタッセル８１、対象生地で製作したロールスクリーンの摘み８２やサイドキャップ８３等のコーディネートの一例としてデザインや色の組み合わせ例が表示され、その下には部品名や部品色が表示されている。
【００３３】
また、施工例サンプル画像２０ａには基本情報表示部２１で表示した対象生地と、コーディネートイメージに合う対象生地２２−２とは別の生地Ａ−２とが、例えばダブル仕様として製作した製品を同一建物の２つの窓に施工した例として表示される。ここでは、手前側の生地を対象生地２２−２として奥側の生地を別生地Ａ−２として表示されている。
【００３４】
施工例サンプル画像２０ａの下には、表示されているインテリア製品の窓の場所（ここでは右、左など）、それぞれに施工された製品名（必要に応じて型番や使用されている部品の色名を含めてもよい）、生地番号を掲載した製品一覧部２５−１が設けられている。
【００３５】
見開き右ページにある施工例写真２０ｂには、対象生地の色違いの生地２２−２−ｂをシングル仕様として２つの窓に施工し、手前に２枚のカーテンを施工したサンプル画像を示す。この施工例では、異なる製品（ここではロールスクリーンとカーテン）をコーディネートしているため、顧客がこのようなコーディネートを希望する際には複数の製品の見積もりが必要となる。そのため、製品一覧部２５−２には複数製品が掲載される。
【００３６】
ここでは、手前側としてカーテンの略号と、色番、ひだ仕様、カーテンレール型番と、色、タッセル名、房掛名と色、奥側としてロールスクリーンの略号と色、操作タイプ、部品名、オプション種別が表示される。
【００３７】
そして、製品一覧部２５−２に掲載された情報に基づいて、施工例サンプル画像２０ｂに表示された複数の製品を一括注文する場合に便利である。
同様に、施工例サンプル画像２０ｃでも、ダブル仕様の製品の奥側に生地２２−２−ｂが、手前側の生地としてｃ−２の生地がコーディネート例として表示され、左側に隣接してその生地名と製品名、タイプ、部品色が表示される。なお、ライフスタイル別掲載ページ１８は、柄物やテクスチャーに特徴のある生地（無地に分類しない生地）のカテゴリーが複数設定され、ライフスタイルの最後のカテゴリーは無地カテゴリーとしている。
【００３８】
前記コーディネートブック１２のオプションページ１９は、前記ライフスタイル別掲載ページ１８で示したコーディネートの共通のポイントをまとめて掲載したページである。図６に示すように、共通柄の別製品（例えば縦型ブラインドとロールスクリーン、ロールスクリーンとプリーツスクリーン等）を併用した施工例画像２６、柄がある生地と、その柄のベースとなる色を備えた無地の生地とを使用した施工例画像２７、異なる柄の生地で色あるいは色相が共通しているものを組み合わせた施工例画像２８等が掲載されている。
【００３９】
また、前記オプションページ１９の右下方部分には、プラスαのコーディネート欄５１が設けられている。ロールスクリーンのリバーシブル生地ｔ１，ｔ２の施工例、同一の縦型ブラインドでスラット群を多色使いに指定できるカラーコーディネート例ｔ３，ｔ４、ロールスクリーンやたくし上げカーテンの生地両サイドに縦に異なる色のボーダーを入れたコーディネート例ｔ５，ｔ６が他のポイントとして掲載されている。
【００４０】
また、図７に示すように、オプションページ１９には部品色指定のできる製品及びオプション指定できる製品について、複数の製品を横断する部品のオプションを表示したオプション選択画像２９ａ〜２９ｅが掲載されている。各製品毎に共通又は類似する部品色を一覧で確認することができ、部品色指定やオプション指定で顧客のこだわりをさらに発展させるような、オリジナリティを追求した提案を顧客に対し容易に提示可能となる。
【００４１】
前記ライフスタイル別生地サンプルブック１３ａ〜１３ｄは、柄物やテクスチャーに特徴のある生地（無地に分類しない生地）をイメージ別にカテゴリーしたもので、例えば図８に示すように、内側面７４に各ライフスタイルに対応する複数の生地サンプル３０が貼着され、各生地サンプル３０の近傍に基本情報表示部３１が設けられている。
【００４２】
ライフスタイル別生地サンプルブック１３ａ〜１３ｄの外側面（前記内側面７４より縮尺を縮めて表示）７５には、リンク情報としてのライフスタイルのカテゴリー名表示部５２と、マークの見方説明部（基本情報表示部３１に表示された情報の見方の説明）５３と、柄スケール表示部（柄を大サイズで使用したときにどのように見えるかを縮小して表示したもの）５４が設けられている。
【００４３】
カテゴリー名は、前記コーディネートブック１２のカテゴリー名にリンクしている。コーディネートブックによりカテゴリー選定した顧客に対しては、選定したカテゴリー名をキーに複数のライフスタイル別生地サンプルブック１３ａ〜１３ｄの中から容易に選択できる。生地選定から入る顧客に対しては、カテゴリー名と生地名をキーにコーディネートブックの該当ページを開き、施工例画像をもとにコーディネートイメージを提示できるようになっている。
【００４４】
前記基本情報表示部３１には、生地名３１ａ、生地番号３１ｂ、洗濯可能か否かを示すウォッシャブル対応情報３１ｃ、当該生地の光透過性情報３１ｄ、対象生地で製作できる製品又は略号等が掲載される。
【００４５】
また、各ライフスタイル別生地サンプルブック１３ａ〜１３ｄでは、柄やテクスチャーは異なるがイメージが共通する生地サンプル３０ａを同じブックに配置して、イメージが共通する生地を一覧することができ、容易に選択可能としている。
【００４６】
前記無地生地サンプルブック１４は、図９に示すように、多数の生地サンプル３７が行方向及び列方向に貼着されている。各生地サンプル３７は無地の複数種類の生地サンプル群３２〜３６に分類されて上下方向に複数行で貼着されるとともに、左右方向に色相や明度を合わせて、例えば左から順に、赤、橙、黄、暖色系無彩色、緑、青緑、青、紫、無彩色の順に配列されている。
【００４７】
上下方向の順は、上段を光透過性の高い生地、下段を光透過性の低い生地としてもよいし、テクスチャーの類似する生地毎に分類して上下に配列してもよい。本実施形態では、透過性の高い生地を下段に配置し、中段から上の段に光透過度が低くなる生地を配列している。いずれにしても、同一列の上下方向には、色相あるいは明度の類似する別種類の生地が配列される。
【００４８】
また、各生地サンプル群３２〜３６の一方の端部には基本情報表示部３８が設けられ、リンク情報としての対応製品名、各生地サンプル群３２〜３６の生地名、リンク情報としての製品略号及び生地番号、その他洗濯可能か否かを示すウォッシャブル対応情報、当該各生地の光透過性情報等が掲載される。
【００４９】
生地選定から行った場合、リンク情報である製品番号、生地番号をキーとして前記コーディネートブック１２の対象生地の該当ページや製品ガイド・プライスブック１５を参照可能となる。
【００５０】
図１０に示すように、前記製品ガイド・プライスブック１５は、製品仕様ページ４０と、製品価格ページ４１とを備えている。
前記製品仕様ページ４０は、図１１に示すように、前述したコーディネートブック１２や生地サンプルブック１３ａ〜１３ｄ，１４に掲載されている製品を注文するための仕様情報が各製品毎に掲載されている。仕様情報が掲載された製品は、ロールスクリーン、縦型ブラインド、たくし上げカーテン、プリーツスクリーン、カーテン等であり、各製品の複数のタイプの仕様情報が掲載されている。
【００５１】
ここでは、リンク情報としての製品名５５が上段に記載され、製作可能寸法表示部５６、操作方法表示部（この中にリンク情報としての操作タイプ表示がある）５７、操作のしかた表示部５８、取付方法表示部５９、部品色表示部６０、注文の流れ表示部６１、オプション表示部６２が掲載されている。
【００５２】
前記製品価格ページ４１は、図１２に示すように、前記ライフスタイル別掲載ページ１８上のライフスタイル別掲載ページ１８に掲載されたページ情報７３に対応するページに、ライフスタイル別掲載ページ１８に掲載された前記施工例サンプル画像２０に対応する価格情報が掲載される。当該ページの上欄には、対応するライフスタイル別掲載ページ１８のページを表示するリンク情報としてのライフスタイルページ表示部４２が設けられている。
【００５３】
また、カテゴリー名６３、生地名６４、製品名６５、製品略号・色番６６は、前記コーディネートブック１２や生地サンプルブック１３ａ〜１３ｄ，１４を参照する場合のリンク情報として機能する。
【００５４】
ここでは、見開き左ページ上に対象生地でシングル仕様にした場合のサイズ別価格表マトリックス６７が掲載される。これは、図１３に示す施工例画像ｇ１に対応しており、対応する表示が例えば記号（１）と表示される。
【００５５】
見開き左ページ下には、第一のダブル仕様の価格マトリックス６８が掲載される。これは、図１３に示す施工例画像ｇ２のダブル使用製品に対応する価格であり、対応する表示が例えば記号（２）と表示される。施工例画像ｇ２には、対象生地に加えてダブル仕様としてコーディネートされた別の第一の生地が表示されている。見開き右ページには、コーディネート価格表示部６９が掲載されている。
【００５６】
そして、前記施工例サンプル画像２０の縮小画像４３が掲載され、図１３に示すように、その縮小画像４３に表示された複数種類の製品にそれぞれＡ〜Ｄ、（１）（２）等の記号が付され、記号が付された各製品の価格表が同一ページに掲載されている。
【００５７】
図１３において、記号Ａが付された製品は、対象生地と、その対象生地に対しダブル仕様としてコーディネートされた別の第二の生地が施工例表示され、第二のダブル仕様の価格表マトリックス４４ａが掲載される。縮小画像４３で記号Ｂが付された製品も同一価格であるため、価格表マトリックス４４ａに記号Ｂも表記される。
【００５８】
縮小画像４３で記号Ｃが付された製品の価格は、価格マトリックス４４ｂに掲載され、記号Ｄが付された製品の価格は、価格マトリックス４４ｃに掲載される。記号Ｃが付された製品は、同じ建物に複数の窓があるシチュエーションで撮影されたものであり、対象生地とは別の生地の製品である。従って、同じ建物に複数の窓がある複数製品のコーディネート施工例に対応するそれぞれの製品について、対象生地だけでなく別の生地及び別の製品の価格も参照し易くなっている。
【００５９】
同様に、記号Ｄが付された製品も、同じ建物に複数の窓があり、対象生地とは別の生地の製品で製品種別も異なるものである。従って、同じ建物に複数の窓がある複数製品のコーディネート施工例に対応するそれぞれの製品について、対象生地だけでなく別の生地及び別の製品の価格も参照し易くなっている。
【００６０】
前記オーダーシート１６は、二つ折されたチェックシートであり、前記コーディネートブック１２に掲載された各製品毎にそれぞれ掲載したものでる。各オーダーシート１６の中面には、図１４に示すように、各製品を発注するための情報を書き込むための発注情報記入欄４５が製品種別毎に掲載されている。この発注情報記入欄に記入することにより、各製品の発注に必要な情報をもれなく記入することが可能となる。
【００６１】
前記オーダーシート１６の背面には、図１５に示すチェックリスト４６が掲載されている。このチェックリスト４６で、取り付け場所、製品サイズ、生地の光透過性、操作方法等を再確認して、発注情報の記載間違い、もれ等をチェック可能である。
【００６２】
次に、上記のような見本帳の作用を説明する。
顧客に対しインテリア製品のコーディネートを提案する場合には、収容体１１にコーディネートブック１２、ライフスタイル別生地サンプルブック１３ａ〜１３ｄ、無地生地サンプルブック１４、製品ガイド・プライスブック１５及びオーダーシート１６を収容して持参する。
【００６３】
そして、インテリアイメージが具体化されていない場合には、まずコーディネートブック１２を提示して、複数のライフスタイルの中から顧客の好むライフスタイルを選定してもらう。各ライフスタイルの選定作業は、ライフスタイル別掲載ページ１８及び施工例サンプル画像２０を見ながら行う。
【００６４】
インテリアイメージが具体化されている場合には、特定のライフスタイルをコーディネートブック又は生地サンプルブックにより提示すればよい。ライフスタイル名は、前述のようにライフスタイルページと生地サンプルブックとにカテゴリー表示されているので、容易に参照できる。
【００６５】
ライフスタイルの選定の後、選定されたライフスタイルに基づいてコーディネートする製品の仕様を決定する場合には、リンク情報としての製品名表示やタイプ表示をキーに、製品ガイド・プライスブック１５の該当する仕様のページを確認し、製作可能寸法や取付方法等を考慮の上、仕様を決定することができる。
【００６６】
選定されたライフスタイルに基づいてコーディネートする製品の生地を決定する場合には、選定されたライフスタイルに対応するライフスタイル別生地サンプルブック１３ａ〜１３ｄあるいは無地生地サンプルブック１４を参照し、現物のテクスチャーを確認しながらコーディネートする生地の選定を行う。
【００６７】
この際にも、リンク情報としてのカテゴリー表示は、コーディネートブック１２及び生地サンプルブック１３ａ〜１３ｄ，１４に掲載されているので、容易に参照可能である。また、部品色を選定する場合には、施工例画像からリンク情報としての部品色の表示をキーに該当製品仕様の部品色を提示する。生地サンプルブック１３ａ〜１３ｄ，１４は、柄物と無地物が分かれているので、選定されたカテゴリーの生地と無地の生地とを並べながらコーディネートをすればよい。
【００６８】
次いで、製品ガイド・プライスブック１５の製品仕様ページ４０に基づいて、選定された生地で各製品を発注するための仕様を選定し、その仕様に対応する価格を製品価格ページ４１で確認する。
【００６９】
リンク情報としてのページ情報７３は、コーディネートブック１２のライフスタイル別掲載ページ１８毎に掲載されているので、製品価格ページ４１の該当ページを容易に参照可能である。このとき、製品価格ページ４１に掲載された縮小画像４３画像内製品記号と各記号を表示した価格表を参照して見積りを行う。また、ライフスタイル別掲載ページ１８の施工例サンプル画像２０に掲載された製品を、製品一覧部２５の掲載データに基づいて見積もり、一括注文することも可能である。
【００７０】
そして、選定された仕様の製品をオーダーシート１６に記載すれば、製品の発注作業が完了する。
上記のように構成されたインテリアコーディネート用見本帳では、次に示す効果を得ることができる。
（１）一冊の収容体１１に収容されたコーディネートブック１２、ライフスタイル別生地サンプルブック１３ａ〜１３ｄ、無地生地サンプルブック１４、製品ガイド・プライスブック１５及びオーダーシート１６により、インテリア製品のコーディネート、概算見積もり、仕様決定、選定された製品の発注までを容易に行うことができる。
（２）コーディネートブック１２のライフスタイル別掲載ページ１８で、好みのライフスタイルを容易に選定することができる。
（３）選定したライフスタイルに基づいて、ライフスタイル別生地サンプルブック１３ａ〜１３ｄ及び無地生地サンプルブック１４から該当する生地サンプルブックを選択し、その生地サンプルブックを使用して、複数の製品の生地の組み合わせを容易に選定することができる。
（４）ライフスタイル別生地サンプルブック１３ａ〜１３ｄ及び無地生地サンプルブック１４では、現物の生地サンプルに基づいて選定する生地のテクスチャーを容易に確認することができる。
（５）選定した生地に基づいて、製品ガイド・プライスブック１５の製品仕様ページで、選定した生地に対応する製品の中から顧客からの要求事項や使いかって、施工上の制限等の条件を満たす製品の製品仕様を容易に選定することができる。
（６）製品ガイド・プライスブック１５の製品価格ページ４１で、選定された仕様の製品価格を容易に確認することができる。
（７）コーディネートブック１２のライフスタイル別掲載ページ１８に掲載された製品一覧部２５に基づいて、施工例サンプル画像２０に表示された製品の一括見積もり及び一括発注を行うことができる。
（８）製品ガイド・プライスブック１５の製品価格ページ４１では、前記施工例サンプル画像２０の縮小画像４３が掲載され、その縮小画像４３に表示された複数種類の製品にそれぞれＡ〜Ｄ等の記号が付され、記号が付された各製品の各仕様の価格表４４が同一ページにリンク情報として掲載されている。従って、コーディネートブック１２で選定した製品の価格を容易に確認することができる。
（９）オーダーシート１６で、各製品の発注に必要な情報をもれなく記入することができる。また、チェックリスト４６で、取り付け場所、製品サイズ、生地の光透過性、操作方法等を再確認して、発注情報の記載間違い、もれ等をチェックすることができる。
（１０）コーディネートブック１２と、ライフスタイル別生地サンプルブック１３ａ〜１３ｄと、無地生地サンプルブック１４と、製品ガイド・プライスブック１５とが別冊になっているので、机の上に各ブックをそれぞれ拡げながら、ライフスタイルの選定、生地の選定、仕様の選定及び価格の見積りを容易に行うことができる。無地生地サンプルブック１４は、複数生地を色相や明度別に配列しているため、色選定から生地種類を選ぶことができ、容易に生地を選定することができる。
（１１）ライフスタイル別生地サンプルブック１３ａ〜１３ｄと、無地生地サンプルブック１４では、各生地に対応する製品を基本情報表示部３１，３８に掲載したので、１つの窓に対し複数種類の製品をコーディネートする場合に、生地の選定を容易に行うことができる。
（１２）ライフスタイル別生地サンプルブック１３ａ〜１３ｄと、無地生地サンプルブック１４により、一つの製品に対し複数の配色の選定を容易に行うことができる。
【００７１】
上記実施形態は、以下の態様で実施してもよい。
・上記実施形態では、サンプルを「生地」と表現したが、布の生地で形成される必要はなく、樹脂シートや薄板材なども含んだ表現である。
・製品ガイド・プライスブック１５は、製品仕様ページ４０と製品価格ページ４１とを別冊としてもよい。
・コーディネートブックと製品ガイド・プライスブックとを、同様の紙面構成で、コーディネートの章と製品ガイド・プライスブックの章を区分けして同一冊子としてもよい。
・上記実施形態では、コーディネートブックと、生地サンプルブックと、製品ガイド・プライスブックをライフスタイルの切り口でカテゴリーしたが、それに限るものではなく、生地から知覚されるイメージであれば、色調等、別の切り口でカテゴリーしてもよい。
【符号の説明】
【００７２】
１１…収容体、１２…コーディネートブック、１３ａ〜１３ｄ，１４…生地サンプルブック（ライフスタイル別生地サンプルブック、無地生地サンプルブック）、１５…製品ガイド・プライスブック、１６…オーダーシート、１８…ライフスタイル別掲載ページ、２０…施工例サンプル画像、２３…参考価格表示部。
【図１】
0003175464.tif 000003
【図２】
0003175464.tif 000004
【図３】
0003175464.tif 000005
【図４】
0003175464.tif 000006
【図５】
0003175464.tif 000007
【図６】
0003175464.tif 000008
【図７】
0003175464.tif 000009
【図８】
0003175464.tif 000010
【図９】
0003175464.tif 000011
【図１０】
0003175464.tif 000012
【図１１】
0003175464.tif 000013
【図１２】
0003175464.tif 000014
【図１３】
0003175464.tif 000015
【図１４】
0003175464.tif 000016
【図１５】
0003175464.tif 000017
【図１６】
0003175464.tif 000018
【図１７】
0003175464.tif 000019
【図１８】
0003175464.tif 000020
【図１９】
0003175464.tif 000021
【手続補正書】
【提出日】平成24年3月2日(2012.3.2)
【手続補正１】
【補正対象書類名】実用新案登録請求の範囲
【補正対象項目名】全文
【補正方法】変更
【補正の内容】
【実用新案登録請求の範囲】
【請求項１】
複数のライフスタイル毎に生地情報を含む施工例サンプル画像を掲載したコーディネートブックと、
前記生地情報に基づいて、前記ライフスタイル毎に分類された生地サンプル中から当該ライフスタイルに対応する生地を選定可能とした生地サンプルブックと、
前記生地サンプルブック及び前記コーディネートブックの少なくともいずれかで選定された生地に基づいて製品の仕様の選定と価格の確認を行う製品ガイド・プライスブックと、
前記コーディネートブックと、生地サンプルブックと、製品ガイド・プライスブックを収容する収容体と
を備えたことを特徴とするインテリアコーディネート用ツール。
【請求項２】
前記コーディネートブックと、前記生地サンプルブックと、前記製品ガイド・プライスブックには、相互にリンクする共通のカテゴリー名を掲載したことを特徴とする請求項１記載のインテリアコーディネート用ツール。
【請求項３】
前記コーディネートブックと、前記生地サンプルブックと、前記製品ガイド・プライスブックには、相互にリンクする共通の製品名及び生地情報を掲載したことを特徴とする請求項１又は２記載のインテリアコーディネート用ツール。
【請求項４】
前記収容体に、発注のためのオーダーシート及びチェックリストを収容したことを特徴とする請求項１乃至３のいずれか１項に記載のインテリアコーディネート用ツール。
【請求項５】
前記コーディネートブックには、前記ライフスタイル毎に前記施工例サンプル画像を掲載したライフスタイル別掲載ページを備え、前記ライフスタイル別掲載ページには施工例サンプル画像に掲載された製品の生地情報を含む基本情報を掲載したことを特徴とする請求項１乃至４のいずれか１項に記載のインテリアコーディネート用ツール。
【請求項６】
前記施工例サンプル画像には、対象生地と他の生地とのダブル仕様の製品画像と、同一窓での対応製品と他の生地による他の製品との併用画像と、対象生地の窓と同一建物内に形成された他の窓に他の生地製品が併用された画像との少なくともいずれかが表示されることを特徴とする請求項５記載のインテリアコーディネート用ツール。
【請求項７】
前記コーディネートブックには、施工例サンプル画像に掲載された製品の注文情報を掲載したことを特徴とする請求項１乃至６のいずれか１項に記載のインテリアコーディネート用ツール。
【請求項８】
前記生地サンプルブックは、
多数の生地サンプルを前記ライフスタイル毎に分類するとともに、各ライフスタイル毎に別冊としたライフスタイル別生地サンプルブックと、
無地の生地サンプルを分類して別冊とした無地生地サンプルブックと
を備えたことを特徴とする請求項１乃至６のいずれか１項に記載のインテリアコーディネート用ツール。
【請求項９】
前記無地生地サンプルブックは、前記生地サンプルの種別と、前記生地サンプルの色相及び明度の少なくともいずれかの分類順で配列したことを特徴とする請求項８記載のインテリアコーディネート用ツール。
【請求項１０】
前記コーディネートブックと前記製品ガイド・プライスブックには、前記施工例サンプル画像が掲載されたページと、該施工例サンプル画像に掲載された複数の製品の価格が掲載されたページとをリンクさせるリンク情報を掲載したことを特徴とする請求項１乃至６のいずれか１項に記載のインテリアコーディネート用ツール。
【請求項１１】
前記コーディネートブックと、製品ガイド・プライスブックとを一冊の冊子としたことを特徴とする請求項１乃至１０のいずれか１項に記載のインテリアコーディネート用ツール。
【請求項１２】
複数のページを備えた冊子に、
複数の生地又は複数の製品が一括して表示される施工例サンプル画像と、
前記複数の生地の番号又は前記複数の製品の番号を表示する第一の表示部と、
前記複数の生地又は前記複数の製品の生地サンプル又は生地サンプル画像を示す第二の表示部と、
前記冊子に備えられた製品価格ページにリンクするリンク情報を表示する第三の表示部と
を前記冊子の同一ページ又は見開きページに表示し、
前記リンク情報でリンクする製品価格ページに、
前記施工例サンプル画像の縮小画像と、
前記縮小画像内に付され、前記複数の生地又は前記複数の製品を特定する記号と、
前記記号で特定された前記複数の生地又は前記複数の製品のサイズ別価格表と
を表示したことを特徴とするインテリアコーディネート用ツール。
【手続補正２】
【補正対象書類名】明細書
【補正対象項目名】００２１
【補正方法】変更
【補正の内容】
【００２１】
請求項１１では、前記コーディネートブックと、製品ガイド・プライスブックとを一冊の冊子とした。
請求項１２では、複数のページを備えた冊子に、複数の生地又は複数の製品が一括して表示される施工例サンプル画像と、前記複数の生地の番号又は前記複数の製品の番号を表示する第一の表示部と、前記複数の生地又は前記複数の製品の生地サンプル又は生地サンプル画像を示す第二の表示部と、前記冊子に備えられた製品価格ページにリンクするリンク情報を表示する第三の表示部とを前記冊子の同一ページ又は見開きページに表示し、前記リンク情報でリンクする製品価格ページに、前記施工例サンプル画像の縮小画像と、前記縮小画像内に付され、前記複数の生地又は前記複数の製品を特定する記号と、前記記号で特定された前記複数の生地又は前記複数の製品のサイズ別価格表を表示した。